(57)【要約】      （修正有）【課題】ＬＥＤ光源を巾木等の建材の内部に組み込んで、その建材そのものを透過して内部から外方へ発光させることにより、ＬＥＤ光源を利用した新たな建材として使用することができるＬＥＤライン光源組み込み建材を提供する。【解決手段】複数のＬＥＤ発光体２を幅の狭い長尺の基盤に間隔をあけてライン状に取り付けてなるＬＥＤモジュール４を長尺の放熱板５に固定すると共に、該放熱板５の両端を挟込み台座の両端に形成した挟込み部８ａで挟持することによって放熱板５の下部に放熱スペースを形成したＬＥＤライン光源を構成し、巾木又は廻り縁等の建材の内部にＬＥＤライン光源を取り付けると共に、該建材の外装を厚さ調整によって透光性を発揮する合成樹脂によって形成し、ＬＥＤライン光源から発せられる光が該建材の外装を透過して外方へ発光すると共に、消灯時には該建材を通常の建材として機能させるようにした。【選択図】図１
0003180564.tif 000002
【実用新案登録請求の範囲】
【請求項１】
複数のＬＥＤ発光体を幅の狭い長尺の基盤に間隔をあけてライン状に取り付けてなるＬＥＤモジュールを長尺の放熱板に固定すると共に、該放熱板の両端を挟込み台座の両端に形成した挟込み部で挟持することによって放熱板の下部に放熱スペースを形成したＬＥＤライン光源を構成し、巾木又は廻り縁等の建材の内部にＬＥＤライン光源を取り付けたＬＥＤライン光源組み込み建材において、
ＬＥＤライン光源を組み込む建材の外装を厚さ調整によって透光性を発揮する合成樹脂により形成した樹脂カバーで構成し、樹脂カバーの厚さ調整又は樹脂カバーの一部に形成した透光部の厚さ調整によって、該建材の内部に設けたＬＥＤライン光源から発せられる光が建材の外装を透過して外方へ発光する照度を得ると共に、消灯時には建材を通常の建材として機能させるようにしたことを特徴とするＬＥＤライン光源組み込み建材。
【考案の詳細な説明】
【技術分野】
【０００１】
本考案は、ＬＥＤライン光源を巾木や廻り縁等のライン状の建材の内部に組み込むことにより、建材の内部から外方に発光させると共に、消灯時には通常の建材として機能するようにしたＬＥＤライン光源組み込み建材に関する。
【背景技術】
【０００２】
従来から建築物の室内等に用いられている間接照明等は、主に白熱灯及び蛍光灯を用いた照明器具を使用するものであった。しかしながら、白熱灯及び蛍光灯のいずれであっても、それらの構成部品が所定の大きさを有し、且つ発熱を防止するための放熱用スペースが必要であるため、照明器具の全体サイズが大きくなるという欠点があった。
【０００３】
ところで、近年になって、表面実装型ＬＥＤモジュールを光源に利用することによって、照明器具を小型化したＬＥＤ光源が使用されるようになっている。このＬＥＤ光源は、建材の寸法や意匠をそのままの状態にして照明やサインとして機能させることが可能である。
【０００４】
このようなＬＥＤ光源の従来例として、特許文献１に記載されている照明器具は、複数のＬＥＤモジュールをライン状に配列したＬＥＤライン光源を備えたものである。さらに、特許文献１の照明器具は、表面実装型ＬＥＤモジュールの配光角が蛍光灯等に比べて狭いため、個々の表面実装型ＬＥＤモジュールの前面に配光調整用レンズを設けることにより、広い配光角で光を拡散させるようにした構成を有するものである。
【先行技術文献】
【特許文献】
【０００５】
【特許文献１】特開２０１１−７７００２号公報
【考案の概要】
【考案が解決しようとする課題】
【０００６】
ところで、ＬＥＤ光源は、低温発熱であり、省電力であって、さらに寿命が長いことで知られており、近年においては、白熱灯や蛍光灯に代わる新しい照明器具に関して様々な領域に利用分野を広げるべく開発が行われている。
【０００７】
本考案は、ＬＥＤ光源の技術的特性に基づいて、ＬＥＤ光源の新たな用途を開発すべくなされたものである。即ち、本考案は、ＬＥＤ光源が、低温発熱であって省電力であり、さらには長寿命であることに鑑みて、このＬＥＤ光源を巾木や廻り縁等の建材の内部に組み込んで、その建材の内部から透過して外方へ発光させることにより、ＬＥＤ光源を利用した新たな建材として使用することができるＬＥＤライン光源組み込み建材を提供することを目的とする。
【課題を解決するための手段】
【０００８】
上記の目的を達成するために、本考案における請求項１のＬＥＤライン光源組み込み建材は、複数のＬＥＤ発光体を幅の狭い長尺の基盤に間隔をあけてライン状に取り付けてなるＬＥＤモジュールを長尺の放熱板に固定すると共に、該放熱板の両端を挟込み台座の両端に形成した挟込み部で挟持することによって放熱板の下部に放熱スペースを形成したＬＥＤライン光源を構成し、巾木又は廻り縁等の建材の内部にＬＥＤライン光源を取り付けたＬＥＤライン光源組み込み建材において、ＬＥＤライン光源を組み込む建材の外装を厚さ調整によって透光性を発揮する合成樹脂により形成した樹脂カバーで構成し、樹脂カバーの厚さ調整又は樹脂カバーの一部に形成した透光部の厚さ調整によって、該建材の内部に設けたＬＥＤライン光源から発せられる光が建材の外装を透過して外方へ発光する照度を得ると共に、消灯時には建材を通常の建材として機能させるようにしたことを特徴とする。
【考案の効果】
【０００９】
本考案のＬＥＤライン光源組み込み建材によれば、ＬＥＤ光源が、低温発熱であって省電力であり、さらには長寿命であるため、このＬＥＤ光源を巾木や廻り縁等の合成樹脂より形成した建材の内部に組み込んで、その建材そのものを内部から透過して外方へ発光させると共に、消灯時には通常の建材として機能するようにした新たな建材として使用することが可能である。
【００１０】
また、本考案によれば、少なくとも樹脂カバーを塩化ビニル樹脂等のように所定厚さで透光性を有する樹脂材料を用いて形成することにより、その厚さ調整によって必要な照度を得ることが可能となる。また、ＬＥＤライン光源から発した光が樹脂カバーを介して拡散状態で透過し、その前方にＬＥＤライン光を透過面全体にほぼ均一にした状態に拡散させることが可能となる。
【００１１】
さらに、本考案により、所定ピッチでライン状に配置していたＬＥＤ光が、目に見える点状に発光するのではなく、透過面全体に均一的な光に拡散され、影のできにくいむらのない光で周辺を照明することが可能となる。
【００１２】
また、本考案によるＬＥＤライン光源組み込み建材によれば、従来、意匠材、或いは仕上げ見切り材であった巾木のほかに、天井廻り縁や壁の装飾モール等の内部からＬＥＤ光が発光される建材として構成することが可能となる。これによって、用途的には、上記のように巾木、天井等の廻り縁、壁の装飾モールのほか、壁ボーダーライン、手摺、建具枠、階段の段鼻やノンスリップ等にも適用可能であり、ＬＥＤ光源が細かいピッチで配列されているため、建材の長さに合わせて全体の長さ寸法が自由に変えられるライン状の建材照明として利用可能である。また、使用される空間に合わせ、ライン状だけでなく、相互に連結させ、Ｌ字形状、Ｔ字形状、十字形状、ロの字形の環状等の構成も可能となる。
【００１３】
さらに、本考案のＬＥＤライン光源組み込み建材は、設置位置によっては、照明のみならず誘導サイン灯として使用することが可能であり、人感センサー等と組み合わせることにより、夜間照明、夜間誘導照明、非常用照明、省エネルギー照明としての利用も可能となる。
【００１４】
また、本考案のＬＥＤライン光源組み込み建材の設置箇所としては、住宅の居室と廊下、水周り、ホテルの宿泊室と廊下、病院或いは診療所の病室と廊下、水周り、高齢者施設の個室と廊下、水周り、船舶の居室と廊下、さらにはオフィスや研究室等、様々な箇所に設置可能である。と共に、避難通路や避難階段等の避難誘導等の防災にも効果を発揮する。
【図面の簡単な説明】
【００１５】
【図１】(ａ)は本考案に使用するＬＥＤライン光源であって挟込み台座を左右別体に構成した例を示す斜視図であり、(ｂ)は巾木にＬＥＤライン光源を組み込んだＬＥＤライン光源組み込み建材を示す斜視図であり、(ｃ)は本考案に使用するＬＥＤライン光源の挟込み台座を左右一体に構成した斜視図であり、(ｄ)は挟込み台座がＬＥＤライン光源の全長を支える場合の上面図であり、(ｅ)は間隔をおいたピース状の挟込み台座がＬＥＤ光源を支える場合の上面図を示す。
【図２】本考案に使用するＬＥＤライン光源組み込み建材を巾木に利用した例を示す断面図であり、(ａ)はＬＥＤライン光源を一列に構成したものであり、(ｂ)はＬＥＤライン光源を２列に構成したものである。
【図３】本考案によるＬＥＤライン光源組み込み建材を巾木に利用した例を示す図であり、(ａ)は樹脂カバーを取り付ける前の状態を示す断面図であり、(ｂ)は樹脂カバーを取り付けた状態を示す斜視図である。
【図４】本考案によるＬＥＤライン光源組み込み建材を円弧形カバーを有する廻り縁に利用した例を示す図であり、(ａ)は樹脂カバーを取り付ける前の状態を示す断面図であり、(ｂ)は樹脂カバーを取り付けた状態を示す斜視図である。
【図５】本考案によるＬＥＤライン光源組み込み建材を平面カバーを有する廻り縁に利用した例を示す図であり、(ａ)は樹脂カバーを取り付ける前の状態を示す断面図であり、(ｂ)は樹脂カバーを取り付けた状態を示す斜視図である。
【図６】本考案によるＬＥＤライン光源組み込み建材を円弧形カバーを有するモールに利用した例を示す図であり、(ａ)は樹脂カバーを取り付ける前の状態を示す断面図であり、(ｂ)は樹脂カバーを取り付けた状態を示す斜視図である。
【図７】本考案によるＬＥＤライン光源組み込み建材を廻り縁に利用した例を示す図であり、(ａ)は樹脂カバーを取り外した状態を示す断面図であり、(ｂ)は樹脂カバーを取り付けた状態を示す断面図である。
【図８】（ａ）は本考案によるＬＥＤライン光源組み込み建材を天井の照明用に利用した例を示す斜視図であり、(ｂ)は梁部材の出隅等に取り付けた状態を示す断面図である。
【図９】(ａ)〜(ｃ)は、本考案によるＬＥＤライン光源組み込み建材を壁面等に取り付けた手摺に適用した例を示す断面図である。
【考案を実施するための形態】
【００１６】
本考案によるＬＥＤライン光源組み込み建材１は、図１(ａ)、(ｂ)、(ｃ)に示すように、複数のＬＥＤ発光体（発光ダイオード２）を幅の狭い長尺のＬＥＤ基盤３に間隔をあけてライン状に取り付けてなるＬＥＤモジュール４を長尺の構造体を兼ねる放熱板５に固定すると共に、該放熱板５の両端を挟込み台座８の両端に形成した挟込み部８ａ、８ａで挟持することによって放熱板５の下部に放熱スペース１０ａを形成したＬＥＤライン光源６を構成する。
【００１７】
また、巾木９又は廻り縁等の建材の内部にＬＥＤライン光源６を取り付けると共に、該建材の外装を厚さ調整によって透光性を発揮する合成樹脂（樹脂カバー１１）によって形成し、該建材の厚さ調整によって該建材の内部に設けたＬＥＤライン光源６から発せられる光が該建材の外装（樹脂カバー１１の透光部１２）を透過して外方へ発光すると共に、消灯時には該建材を通常の建材として機能させるようにしたものである。
【００１８】
即ち、本考案に使用するＬＥＤライン光源６は、図１(ａ)に示すように、ＬＥＤ発光体として発光ダイオード２を幅の狭い長尺のＬＥＤ基盤３に所定間隔の小ピッチで一列のライン状に取り付けることによってＬＥＤモジュール４を構成し、このＬＥＤモジュール４を放熱性と強度性を持たせるためにアルミニウム板等の長尺な金属製放熱板５に固定した構成を有する。
【００１９】
また、上記のＬＥＤライン光源６においては、電源安定器７（図８(ａ)(ｂ)参照）を設けてあるほか、ＬＥＤ光源として必要な構成は周知の部品等を用いるようにしている。
【００２０】
さらに、図１(ａ)に示すように、このＬＥＤライン光源６の金属製放熱板５の両端は、挟込み台座８の両端に隙間を設けた挟込み部８ａに挟持されることによって取り付けられる。この挟込み台座８は、図１(ａ)に示すように、左右に分離した構成からなる左右別体型のほかに、図１(ｃ)に示すように、左右一体的に構成したものとすることも可能である。また、図１(ｄ)に示すように、挟込み台座８はＬＥＤ光源６の放熱板５の全長を支える場合の他に、図１(ｅ)に示すように、間隔を置いたピース状の挟込み台座８によりＬＥＤライン光源６を支える場合もある。
【００２１】
また、図４(ａ)、(ｂ)に示すように、挟込み台座８の取付け部位によって形状を変えるようにしてもよい。いずれしても、図１(ａ)(ｂ)(ｃ)、さらには図４(ａ)(ｂ)等のように、挟込み台座８の両端に設けられた挟込み部８ａ、８ａでＬＥＤライン光源６の放熱板５の両端を挟持すると共に、放熱板５の下部に放熱用の放熱スペース１０ａを設けた構成とし、該放熱スペース１０ａに金属製放熱板５からの放熱を拡散するようにしている。
【００２２】
また、上記のＬＥＤライン光源６は、長尺のＬＥＤ基盤３及び構造体を兼ねた長尺の金属製放熱板５を長さ６０ｃｍ等の所定長に構成することによってユニット化し、これを設置箇所に応じて直線状、Ｌ字形状、Ｔ字形状、十字形状、ロの字形の環状等に連結することによって、シームレスなＬＥＤライン光源６を構成することが可能となるものである。
【００２３】
さらに、例えば、図１(ｂ)に示す巾木９又は廻り縁等の建材の内部にＬＥＤライン光源６を取り付けるようにして、この建材の長さを上記の基盤３及び金属製放熱板５の長さに対応した所定の長さとし、所定長さのＬＥＤライン光源６と建材とをユニット化したＬＥＤライン光源組み込み建材１とすることによって、設置箇所に応じて、この建材１を直線状、Ｌ字形状、Ｔ字形状、十字形状、ロの字形の環状等に連結することにより、継ぎ目のない建材、即ちシームレスなＬＥＤライン光源組み込み建材１として構成することが可能となる。
【００２４】
上記の構成において、図１(ｂ)に示すＬＥＤライン光源組み込み建材１は、その建材として巾木９の外装を合成樹脂によって形成し、この巾木９の前面の途中にＬＥＤライン光源６のための収納室１０を巾木９の長手方向に沿って形成する。また、収納室１０の背面には先端がＬ字形に屈曲した挟込み台座８を固定し、この挟込み台座８の両側の挟込み部８ａ、８ａにＬＥＤライン光源６の放熱板５の両端を挟持することによって固定する。
【００２５】
一方、収納室１０の前面の上下に段差９ａを形成し、この段差９ａに所定厚さの塩化ビニル樹脂からなる樹脂カバー１１を接着剤等で固定する。このような構成において、樹脂カバー１１の前面と巾木９の前面とを同一面にすることによって、樹脂カバー１１が巾木９と一体的な外装を有する建材となる。
【００２６】
また、巾木９の本体を塩化ビニル樹脂から構成し、樹脂カバー１１の材料を厚さ調整によって透光性を発揮する合成樹脂として塩化ビニル樹脂を用いて構成することにより、全体を塩化ビニル樹脂製建材とすることも可能である。さらに、このような巾木９と樹脂カバー１１を所定色に着色したり、木目調等に着色することによって、好みの照明カラーを得ることも可能である。
【００２７】
いずれにしても、少なくとも樹脂カバー１１を厚さ調整によって透光性を発揮する合成樹脂として塩化ビニル樹脂を用いて形成し、その厚さを所定値以下の肉厚に調整することにより、ＬＥＤライン光源６から発した光が樹脂カバー１１を介して拡散状態で透過し、その前方にＬＥＤライン光をむらのない状態に拡散させることが可能となる。これによって、所定ピッチでライン状に配置していたＬＥＤ光が、目に見える点状に発光するのではなく、均一的な柔らかい光として拡散され、影のできにくい優しい光で周辺を照明することが可能となる。
【００２８】
なお、上記のようにＬＥＤ光を拡散状態で透過することができる合成樹脂製の建材の外装又は樹脂カバー１１の厚さは、着色状態やＬＥＤライン光の強さによって大幅に影響を受けるため、ＬＥＤライン光源組み込み建材１の設置箇所に求められる光の強さを考慮して透光を調整することにより設定するのが好ましい。
【００２９】
また、本実施例では、厚さ調整によって透光性を発揮する合成樹脂として塩化ビニル樹脂を用いてあるが、光源の強度との関係もあるため特定はできないが、建材としてのある程度の強度を持ち光源からの光りを透光しうる合成樹脂であれば、塩化ビニル樹脂以外のものでも適用可能である。
【００３０】
なお、図２(ａ)及び(ｂ)に示すＬＥＤライン光源組み込み建材１は、塩化ビニル樹脂からなる巾木９の前面部を樹脂カバー１１で覆い、この樹脂カバー１１の一部をＬＥＤ光を透過し得る所定厚さの透光部１２として構成したものである。このような構成において、図２(ａ)に示すように、ＬＥＤライン光源６を１列のライン状に構成するほか、図２(ｂ)に示すように、ＬＥＤライン光源６を２列のライン状に構成することも可能である。この場合、２列の各ラインを異なる発光色のＬＥＤダイオードで構成することによって、その両方を発光することで光の変化を調整し、またいずれか一方のラインを発光することによって異なる色の発光を行うことも可能である。
【００３１】
また、本考案によるＬＥＤライン光源組み込み建材１としては、図１(ｂ)に示すように巾木９に使用するほか、建築材料として様々な箇所に使用可能である。そこで、以下に、本考案によるＬＥＤライン光源組み込み建材１を適用した実施例について図面を参照しながら説明する。
【実施例１】
【００３２】
本実施例は、本考案によるＬＥＤライン光源組み込み建材１を巾木９に使用したものである。その構成は、図３(ａ)に示す取付け用ベース１６に着脱自在に樹脂カバー１１を設け、この樹脂カバー１１の前面の一部に厚さ調整によって透光を可能とした透光部１２を形成し、図３(ｂ)に示すように、取付け用ベース１６に樹脂カバー１１を互いの鉤爪１７ａ、１７ｂで着脱自在に係止する。このような構成により、取付け用ベース１６の内部に挟込み台座８を固定して、所定長さのＬＥＤライン光源６を取り付けた構成し、樹脂カバー１１を透過してＬＥＤライン光源６からの光を発光させることが可能となる。
【実施例２】
【００３３】
本実施例は、本考案によるＬＥＤライン光源組み込み建材１を円弧形状の透光部１２を有する廻り縁１５に使用したものである。その構成は、図４(ａ)(ｂ)に示す断面アングル形の取付け用ベース１６に円弧形状の透光部１２を有する樹脂カバー１１を互いの鉤爪１７ａ、１７ｂで着脱自在に係止したものである。
【００３４】
また、図４(ｂ)に示すように、樹脂カバー１１の内部における取付け用ベース１６の内壁面に、挟込み台座８を固定し、この挟込み台座８の両側の挟込み部８ａ、８ａにＬＥＤライン光源６の放熱板５の両端を挟持することにより、樹脂カバー１１を透過してＬＥＤライン光源６からの光を発光させることが可能となる。
【実施例３】
【００３５】
本実施例は、本考案によるＬＥＤライン光源組み込み建材１を平面形状の樹脂カバー１１を有する廻り縁１５に使用したものである。その構成は、図５(ａ)に示す断面アングル形の取付け用ベース１６に、平面形状を有する樹脂カバー１１を互いの鉤爪１７ａ、１７ｂで着脱自在に係止し、図５(ｂ)に示すように、前面の平面部を所定厚さの透光部１２として形成したものである。
【００３６】
また、取付け用ベース１６の内壁面に、挟込み台座８を固定して所定長さのＬＥＤライン光源６を取り付けることにより、ＬＥＤライン光源６から発せられる光を樹脂カバー１１の前面の透光部１２を透過して発光させることが可能となる。
【実施例４】
【００３７】
本実施例は、本考案によるＬＥＤライン光源組み込み建材１を半円形状の樹脂カバー１１を有するモール状に形成したものである。その構成は、図６(ａ)(ｂ)に示す凹形状の取付け用ベース１６に断面半円弧形状の樹脂カバー１１を互いの鉤爪１７ａ、１７ｂで着脱自在に係止したものである。
【００３８】
また、図６(ｂ)に示すように、樹脂カバー１１の内部の取付け用ベース１６に、挟込み台座８を固定し、この挟込み台座８に所定長さのＬＥＤライン光源６を取り付けることにより、ＬＥＤライン光源６から発せられる光を半円弧形状の樹脂カバー１１の透光部１２を透過して発光させることが可能である。
【実施例５】
【００３９】
本実施例は、本考案によるＬＥＤライン光源組み込み建材１を曲面形状の樹脂カバー１１を有する入隅用のコーナー材に使用したものである。その構成は、図７(ａ)(ｂ)に示す断面アングル形状の取付け用ベース１６に樹脂カバー１１として曲面形状の透光部１２を鉤爪１７ａ、１７ｂで着脱自在に係止するようにしたものである。
【００４０】
また、このような樹脂カバー１１の内部に、ＬＥＤライン光源６を取り付けることにより、ＬＥＤライン光源６から発せられる光を樹脂カバー１１の透光部１２を透過して発光させることが可能な構成としている。
【実施例６】
【００４１】
本実施例は、本考案によるＬＥＤライン光源組み込み建材１を天井１９や梁形部や下り天井部２０の照明用に利用したものである。即ち、図８（ａ）に示すＬＥＤライン光源組み込み建材１は、その下部に傾斜状の複数の段差２２ａを有する張出部材２２を取り付ける。また、この張出部材２２の上面に樹脂カバー１１を取り付けると共に、その張出部２２の内部に電源安定器７を収納するようにしたものである。
【００４２】
また、図８(ｂ)に示すＬＥＤライン光源組み込み建材１は、梁形部や下り天井部２０の出隅等に張出部材２２を取り付けたものであり、この張出部２２の上面に樹脂カバー１１を取り付ける。また、側部に滑らかに湾曲する湾曲面２２ｂを施すと共に、梁部材２０の出隅部の枠部材２５内に電源安定器７を収納するようにしたものである。
【実施例７】
【００４３】
図９(ａ)〜(ｃ)に示す本実施例のＬＥＤライン光源組み込み建材１を壁面２４等に取り付けた手摺２１に適用した例を示すものである。即ち、図９（ａ）に示す建材は、廊下の壁面２４等にネジ２６で固定する形態の手摺２１であり、この手摺部２１の下部にＬＥＤライン光源６を取り付ける収納室１０を設け、該収納室１０の下面を樹脂カバー１１の透光部１２で覆うように固定したものである。
【００４４】
また、図９(ｂ)に示す建材は、廊下の壁面２４等に固定した手摺支持金物２３の先端に断面円形の棒状の手摺２１ａを取り付け、該手摺２１ａの下部にＬＥＤライン光源６を取り付けた収納室１０を設け、該収納室１０の下面を樹脂カバー１１の透光部１２で覆うように固定したものである。
【００４５】
さらに、図９(ｃ)に示す建材は、廊下の壁面２４等に固定した薄型の付長押２１ｂの側部にＬＥＤライン光源６を取り付けた収納室１０を形成し、該収納室１０の側面を樹脂カバー１１の透光部１２で覆うように固定したものである。
【産業上の利用可能性】
【００４６】
本考案のＬＥＤライン光源組み込み建材は、ＬＥＤ光源が、低温発熱であって省電力であり、さらには長寿命であることに鑑みて、このＬＥＤ光源を巾木や廻り縁等の建材の内部に組み込んで、その建材そのものを透過して内部から外方へ発光させることにより、ＬＥＤ光源を利用した新たな建材として使用することができるＬＥＤライン光源組み込み建材として利用可能である。
【符号の説明】
【００４７】
１  ＬＥＤライン光源組み込み建材
２  ＬＥＤ発光体（発光ダイオード）
３  ＬＥＤ基盤（基盤）
４  ＬＥＤモジュール
５  構造体を兼ねた放熱板
６  ＬＥＤライン光源
７  電源安定器
８  挟込み台座
８ａ  挟込み部
９  巾木
９ａ  欠込み段差
１０  収納室
１０ａ  放熱スペース
１１  樹脂カバー
１２  透光部
１５  廻り縁
１６  取付け用ベース
１７ａ、１７ｂ  鉤爪
１８  コーナー材
１９  天井
２０  梁形部及び下り天井部
２１ａ  手摺
２１ｂ  付長押
２２  張出部材
２２ａ  段差
２２ｂ  湾曲面
２３  手摺支持金物
２４  壁面
２５  枠部材
２６  ネジ
【図１】
0003180564.tif 000003
【図２】
0003180564.tif 000004
【図３】
0003180564.tif 000005
【図４】
0003180564.tif 000006
【図５】
0003180564.tif 000007
【図６】
0003180564.tif 000008
【図７】
0003180564.tif 000009
【図８】
0003180564.tif 000010
【図９】
0003180564.tif 000011